(57)【特許請求の範囲】
【請求項１】
積算電力計と電力負荷設備との間に設置され、前記電力負荷設備側の２本の負荷側電線が並設された端子螺子により固定される単相３線式の無停電端子の保護カバーであって、
取り付けられた状態で前記端子螺子を覆う本体部と、
前記本体部に設けられ、前記端子螺子を操作可能とする操作開口部と、
前記操作開口部に前記端子螺子の並設方向に摺動可能に取り付けられ、最大開放時に前記操作開口部の略半分を開放する扉部と、を有し、
前記扉部の開放動作により前記端子螺子の一方のみが露出されるようにした無停電端子用保護カバーにおいて、
前記扉部は、
前記操作開口部の面積の略半分の面積を覆う大きさを有し、且つ当該操作開口部の枠内で独立して前記摺動移動可能な２枚の平板部材にて構成されたこと特徴とする無亭電端子用保護カバー。
【請求項２】
前記本体部には、前記無停電端子の背面に接触する折り返し部が設けられていることを特徴とする請求項１に記載の無停電端子用保護カバー。
【発明の詳細な説明】
【技術分野】
【０００１】
本発明は、無停電端子用保護カバー、特に、積算電力計と電力需要者側の電力負荷設備との間に設置される単相３線式の無停電端子に、電力負荷設備側の負荷側電線を固定する際に、又は無停電端子から負荷側電線を取り外しする際に、短絡事故を防止し作業終了後は長期に亘り無停電端子を保護する無停電端子用保護カバーに関する。
【背景技術】
【０００２】
電力需要者が経済的な事情等により、消費電力量に対する使用料金が支払えない状況にある場合、電力供給者は電力需要者に対して電力の供給を停止する場合がある。その場合、電力の供給の停止を行うことが近い将来に必要となる電力需要者に対して、無停電端子（例えば、特許文献１を参照。）を設置し、電力需要者が消費した消費電力量に対して所定期間内に料金を支払わない場合、上記の予め取り付けておいた無停電端子により電力の供給を停止する。具体的には、無停電端子に差し込まれているバイパスプラグを抜くという作業を行う。
【０００３】
図４は、無停電端子の取り付け状態を示す説明図である。柱上トランス６００で適正に降圧された電圧は、引き込み線６１０、電源側電線６１２、６１３、６１４を介して家屋７００に取り付けられた積算電力計７１０に入力され、負荷側電線７１２、７１３、７１４を介して電力消費機器７２０に印加される。電力消費機器７２０で消費された電力量は積算電力計７１０によって計量され、計量された消費電力量に応じて電力使用料金が請求され、電力需要者はその使用料金を支払うこととなる。
【０００４】
前述のように、電力需要者が経済的な事情等により、その使用料金が支払えない状況にあると、電力供給者は電力需要者に対して電力の供給を停止する場合があり、電力の供給の停止を行うことが近い将来に必要となる電力需要者に対して、無停電端子８００を積算電力計７１０と電力消費機器７２０との間に設置することとなる。具体的に、無停電端子８００は図４に示すように、負荷側電線７１２、７１４を切断し、その間に挿入される。負荷側電線７１３は積算電力計７１０と電力消費機器７２０に接続されたままである。ここで、積算電力計７１０と無停電端子８００を接続する線をリード線７１２ａ、７１４ａと記している。取り付けが終了した無停電端子８００には、詳細は後述するが端子を保護し感電事故等が生じないように保護カバー９００が被せられる。
【０００５】
図５（ａ）は、無停電端子の概略断面図である。以下、無停電端子８００について説明するが、重複を避けるため、リード線７１２ａと負荷側電線７１２に関してのみ説明し、リード線７１４ａと負荷電線７１４に関しては省略する。なお、リード線７１２ａと負荷電線７１２、及びリード線７１４ａと負荷電線７１４の両方に言及する場合は、例えば、導電ブロック８１３ｂ、８１４ｂのように英字ｂを用い、リード線７１２ａと負荷電線７１２に係る導電ブロック８１３ａ、８１４ａと区別している。
【０００６】
無停電端子８００は、合成樹脂製のケース８１１と、ケース８１１の開口部を塞ぐ合成樹脂製のカバー８１２と、ケース８１１内に絶縁的に分離配置された２つの導電ブロック８１３ａ、８１４ａとを備えている。一方の導電ブロック８１３ａには、螺子８１５ａによりリード線７１２ａが螺子止めされている。
【０００７】
導電ブロック８１３ａ、８１４ａには、それぞれ、バイパスプラグ８５０の一方及び他方の端子８５１、８５２を挿入することができるバイパスプラグ端子挿入孔８２２ａ、８２３ａが平行に設けられている。これらのバイパスプラグ端子挿入孔８２２ａ、８２３ａに対応する部位のケース８１１は、それぞれ、バイパスプラグ端子挿入孔８２２ａ、８２３ａに連通すると共に、バイパスプラグ８５０の端子８５１、８５２が挿入可能なプラグ嵌合孔８２４ａ、８２５ａが設けられている。更に、導電ブロック８１３ａ、８１４ａには、遠隔送電制御機器のプラグが接続できるように、それぞれ、電源側プラグ接続端子挿入孔９２０ａ、負荷側プラグ接続端子挿入孔９２１ａが設けられ、これらの電源側プラグ接続端子挿入孔９２０ａ、負荷側プラグ接続端子挿入孔９２１ａに対応する部位のケース８１１は、それぞれ、電源側プラグ接続端子挿入孔９２０ａ、負荷側プラグ接続端子挿入孔９２１ａに連通すると共に、遠隔送電制御機器のプラグが挿入可能なプラグ嵌合孔９３０ａ、９３１ａが設けられている。
【０００８】
また、無停電端子８００には、負荷側電線７１２が挿入できるように、導電ブロック８１４ａに引込線挿入孔８２６ａが設けられており、この引込線挿入孔８２６ａ内に先端が挿入された負荷側電線７１２は導電ブロック８１４ａに、２つの端子螺子８８０ａ、８９０ａにより堅固に固定されるように構成されている。なお、端子螺子８８０ａと８９０ａとは電気的に導通しており、負荷側電線７１２を堅固に固定するために２つの螺子が用いられている。
【０００９】
作業者がバイパスプラグ８５０の両端子８５１、８５２を、プラグ嵌合孔８２４ａ、８２５ａを介して、導電ブロック８１３ａ、８１４ａのバイパスプラグ端子挿入孔８２２ａ、８２３ａに挿入すると、両端子８５１、８５２は、それぞれ、プラグ端子挿入孔８２２ａ、８２３ａに電気的に接続され、取り外し困難となる。従って、リード線７１２ａと負荷側電線７１２とは、端子螺子８１５ａ、導電ブロック８１３ａ、端子８５１、端子８５２、導電ブロック８１４ａ、端子螺子８８０ａ、８９０ａを介して電気的に接続される。同様に、リード線７１４ａと負荷側電線７１４に関しても、同一の構成が採用されており、説明は省略する。なお、図４に示すように、バイパスプラグ８５０が互いに接触しないように、仕切り壁８７０がケース８１１に一体的に設けられている。
【００１０】
負荷側電線７１２を導電ブロック８１４ａに固定する端子螺子８８０ａ、８９０ａと、負荷側電線７１４を導電ブロック８１４ｂに固定する端子螺子８８０ｂ、８９０ｂとは、保護カバー９００が取り外された状態では剥き出しになっており、手で触れると感電の恐れがある。また、端子螺子８８０ａ、８９０ａと端子螺子８８０ｂ、８９０ｂとが金属等により電気的に短絡すると短絡事故が発生する。これらを防止するために保護カバー９００が無停電端子８００の端子螺子８８０ａ、８９０ａと端子螺子８８０ｂ、８９０ｂの上方に被せられている。図５（ｂ）に保護カバーの斜視図を示す。透明なプラスチック樹脂で構成され、無停電端子３００に脱着可能になっている。脱着を容易にするために摘み部９５０が設けられている。
【００１１】
図６は、作業者が無停電端子に負荷側電線を固定する様子を示す説明図である。但し、リード線７１２ａ、７１４ａの取り付けは終了し、負荷側電線７１２、７１４の取り付けを行っているものとする。保護カバー９００は、作業に入る前に無停電端子８００から取り外されている。まず、負荷側電線７１２、７１４を、それぞれ無停電端子８００の引込線挿入孔８２６ａ、８２６ｂに挿入する。そして、右手Ｈでドライバ９１０を握り、左手ｈで無停電端子８００を把持し、ドライバ９１０の先端を端子螺子８８０ａ、８９０ａ及び８８０ｂ、８９０ｂに当てて、それぞれ回転させることにより負荷側電線７１２、７１４が無停電端子８００へ固定される。その後、保護カバー９００を無停電端子８００に被せることで作業が終了する。
【００１２】
【特許文献１】実用新案登録公報  第３１１２７１５号
【発明の開示】
【発明が解決しようとする課題】
【００１３】
負荷側電線７１２、７１４の無停電端子８００への取り付けは、保護カバー９００を取り外して行われる。そのような状態では、負荷側電線７１２側の端子螺子８８０ａ、８９０ａと負荷側電線７１４側の端子螺子８８０ｂ、８９０ｂが剥き出しとなる。従って、ドライバ９１０で取り付け作業を行う際に、ドライバ９１０の先端が端子螺子８８０ａと８８０ｂ、端子螺子８９０ａと８９０ｂ、端子螺子８８０ａと８９０ｂ、又は端子螺子８８０ｂと８９０ａに同時に接触した場合に短絡事故が発生することとなる。
【００１４】
端子螺子８８０ａ、８９０ａと端子螺子８８０ｂ、８９０ｂのどちらか一方の側に絶縁テープを貼り付けて作業を行うことも可能であるが、作業中に剥がれることも考えられ、確実に短絡事故を防止するものではない。また、絶縁テープを作業毎に貼り付け、作業が終了した後に取り外すのも面倒である。
【００１５】
更に、負荷側電線の取り付けが終了したあとに保護カバーを被せる必要があるが、作業前に取り外した保護カバーを紛失する恐れもあった。
【００１６】
本発明は、上記課題に鑑みてなされたものであり、その目的は、単相３線式の無停電端子に負荷側電線を固定又は無停電端子から負荷側電線を取り外す際に、短絡事故を確実に防ぐことが可能であり、作業終了後は端子螺子を長期に亘り保護する無停電端子用保護カバーを提供することにある。
【課題を解決するための手段】
【００１７】
上記目的を達成するため、請求項１に記載の無停電端子用保護カバーは、積算電力計と電力負荷設備との間に設置され、前記電力負荷設備側の２本の負荷側電線が並設された端子螺子により固定される単相３線式の無停電端子の保護カバーであって、取り付けられた状態で前記端子螺子を覆う本体部と、前記本体部に設けられ、前記端子螺子を操作可能とする操作開口部と、前記操作開口部に前記端子螺子の並設方向に摺動可能に取り付けられ、最大開放時に前記操作開口部の略半分を開放する扉部と、を有し、前記扉部の開放動作により前記端子螺子の一方のみが露出されるようにした無停電端子用保護カバーにおいて、前記扉部は、前記操作開口部の面積の略半分の面積を覆う大きさを有し、且つ当該操作開口部の枠内で独立して前記摺動移動可能な２枚の平板部材にて構成されたこと特徴とする。
【００１８】
かかる構成を採用することにより、作業者が負荷側電線を無停電端子に固定又は無停電端子から取り外しする際に、負荷側電線の一方の端子螺子が露出され、他方の端子螺子は隠蔽されるように扉部が開放されるので、一方の端子螺子を操作しているときにドライバの先端が他方の端子螺子に接触することはない。従って、短絡事故をなくすことが可能である。また、作業が終了した後には、ドライバで扉部を閉めることが可能であるので、端子螺子への接触による感電事故をなくすことが可能である。
【００２０】
更に、扉部を簡単に構成し、簡単な操作で開閉することが可能である。即ち、摺動移動可能な２枚の平板部材により、何れかの平板部材を移動させることで、一方の端子螺子を露出させ、他方の端子螺子を隠蔽する、若しくは一方及び他方の双方の端子螺子を隠蔽することが可能となる。これにより、作業者が負荷側電線を無停電端子に固定又は無停電端子から取り外しする際に、一方の端子螺子を操作しているときにドライバの先端が他方の端子螺子に接触することはなく、短絡事故をなくすことが可能である。また、作業が終了した後には、ドライバで平板部材を閉めることが可能であるので、端子螺子への接触による感電事故をなくすことが可能である。
【００２３】
請求項２に記載の無停電端子用保護カバーは、請求項１に記載の無停電端子用保護カバーにおいて、前記本体部には、前記無停電端子の背面に接触する折り返し部が設けられていることを特徴とするので、保護カバーが無停電端子に長期に亘り堅固に固定されることとなる。更に、保護カバーに接触することによる脱落を防止することが可能である。
【発明の効果】
【００２４】
本発明の無停電端子用保護カバーによると、作業者が負荷側電線を無停電端子に固定又は無停電端子から取り外しする際に、負荷側電線の一方の端子螺子が露出され、他方の端子螺子は隠蔽されるように扉部が開放されるので、一方の端子螺子を操作しているときにドライバの先端が他方の端子螺子に接触することはない。従って、短絡事故をなくすことが可能である。また、作業が終了した後には、ドライバで扉部を閉めることが可能であるので、端子螺子への接触による感電事故をなくすことが可能である。
【発明を実施するための最良の形態】
【００２５】
本発明の実施の形態を、以下図面を参照しながら詳述する。なお、本発明は以下に説明する実施の形態に限定されるものではない。なお、無停電端子そのものは、図４〜６で説明したものと同じものを想定しており、従来の保護カバー９００に替わり本発明の保護カバー１０が用いられる。
【００２６】
（第一の実施の形態）
図１は、本発明の無停電端子用保護カバーの第一の実施の形態に係り、拡大斜視図である。即ち、図１は、無停電端子の端子螺子の部分に本発明の保護カバーを被せた様子を示しており、図１の上部には、遠隔送電制御機器のプラグが挿入可能なプラグ嵌合孔９２１ａ、９２１ｂが示されている。
【００２７】
保護カバー１０は、無停電端子８００に装着可能な本体部１４と、本体部１４に設けられた操作開口部１２と、操作開口部１２を覆う扉部１６とを有する。操作開口部１２は、保護カバー１０の本体部１４に設けられており、端子螺子８８０ａ、８９０ａ、８８０ｂ、８９０ｂをドライバで操作可能とするための、４の面、即ち、天井板１８、底板２０、右側板２２、左側板２４で構成される端子螺子８８０ａ、８９０ａ、８８０ｂ、８９０ｂ上方の開口を意味する。ここで、操作開口部１２は、１本の負荷側電線に対して通常２個の端子螺子を用いているので合計４個の端子螺子の頭部を包含する広さを有することとなる。
【００２８】
本体部１４の右側板２２と左側板２４には、それぞれ折り返し部２６ａ、２６ｂが設けられ、この折り返し部２６ａ、２６ｂが無停電端子８００の背面に接触する。これにより保護カバー１０が、無停電端子８００から容易に外れない効果を奏することとなる。なお、保護カバー１０の本体部１４及び折り返し部２６ａ、２６ｂの寸法は、対象となる無停電端子８００の大きさ等にあわせて適宜に設計することができる。また、本体部１４の材質はプラスチック樹脂とし、その硬さは少し固めにして、無停電端子８００に長期に亘り堅固に固定され、保護カバー１０に接触しただけで無停電端子８００から脱落しないようにした。
【００２９】
扉部１６は、２枚の平板部材２８ａ、２８ｂと、本体部１４の操作開口部１２を構成する４面の内で平板部材２８ａ、２８ｂが摺動移動する方向と直交する２面、即ち天井板１８と底板２０に設けられた突起部３０ａ、３０ｂ、３０ｃ、３０ｄとから構成される。
【００３０】
２枚の平板部材２８ａ、２８ｂは、同一サイズであり、２枚を横に並べると操作開口部１２がちょうど覆われるようになっている。即ち１枚の平板部材の面積は操作開口部１２の面積の略半分である。平板部材２８ａ、２８ｂには、摺動移動する方向と平行となる、相対する２辺、即ち平板部材２８ａ、２８ｂの天井部と底部にそれぞれ溝部３２ａ、３２ｂと３２ｃ、３２ｄが形成されている。溝部３２ａ、３２ｂ、３２ｃ、３２ｄの断面形状は、いずれも図１に示すように矩形状である。
【００３１】
本体部１４の天井板１８と底板２０に設けられた突起部３０ａ、３０ｂ、３０ｃ３０ｄは、操作開口部１２の横幅と略同一の長さを有し、摺動移動する平板部材２８ａ、２８ｂの天井部と底部にそれぞれ設けた溝部３２ａ、３２ｂ、３２ｃ、３２ｄと係合する。天板１８と底板２０には、突起部がそれぞれ２本ずつ平行して設けられており、これにより２枚の平板部材２８ａ、２８ｂが独立に摺動移動できるようになっている。なお、摺動移動する２枚の平板部材２８ａ、２８ｂの間に、ドライバの先端等が入り込まないように、平板部材２８ａ、２８ｂの厚さを考慮して、突起部３０ａ、３０ｂ及び突起部３０ｃ、３０ｄの間隔が調整されている。
【００３２】
平板部材２８ａ、２８ｂの表面には溝状の引き掛け部３４ａ、３４ｂが設けられており、ここにドライバの先端を当てて平板部材２８ａ、２８ｂを左右に摺動移動できるようになっている。前述のように２枚の平板部材２８ａ、２８ｂを閉じると操作開口部１２は完全に覆われるが、平板部材の１枚を最大に開けると、一度に負荷側電線の１本分だけの端子螺子が操作可能になるように操作開口部１２が開口される。なお、端子螺子８８０ａ、８９０ａ、８８０ｂ、８９０ｂの頭部と平板部材２８ａ、２８ｂとの間隔は殆どなく、作業に使用するドライバの先端が斜めに入らないようになっている。また、遠隔送電制御機器のプラグが挿入されるプラグ嵌合孔９２１ａ、９２１ｂから操作開口部１２の縁部までの距離は、前述のプラグ嵌合孔９２１ａ、９２１ｂに挿入されるプラグがＬ型であって、保護カバー１０を覆うように挿入される場合でも、不具合が生じないような所定の長さに設定されている。
【００３３】
なお、上記の平板部材２８ａ、２８ｂ、突起部３０ａ、３０ｂ、３０ｃ、３０ｄは本体部１４と同じ、即ちプラスチック樹脂を用いて構成した。この場合、端子螺子８８０ａ、８９０ａ、８８０ｂ、８９０ｂの様子は、平板部材２８ａ、２８ｂを摺動移動して確認できるので、色彩が付加されて不透明であっても構わない。
【００３４】
図２は、一方の平板部材２８ｂを開けて、負荷側電線を無停電端子に取り付ける又は無停電端子から取り外すために、端子螺子を操作する様子を示した説明図である。一方の平板部材２８ｂの引き掛け部３４ｂにドライバの先端を当て、その平板部材２８ｂをドライバで摺動移動させることで、一方の負荷側電線に係る端子螺子８８０ｂ、８９０ｂの頭部だけが現れ、一度には負荷側電線の１本分だけの端子螺子８８０ｂ、８９０ｂだけが操作できるようになっている。従って、ドライバが滑って隣の他方の負荷側電線に係る端子螺子に接触することはあり得ず、短絡事故は生じない。一方の負荷電線に係る作業が終了したら、この負荷電線側の平板部材２８ｂを摺動移動して扉を閉じ、他方の負荷電線側の平板部材２８ａを摺動移動して扉を開けて同様の作業を行うが、この場合でも同様に短絡事故は生じない。作業が終了した後は、両方の平板部材２８ａ、２８ｂをドライバで摺動移動して閉じることができ、端子螺子８８０ａ、８９０ａ、８８０ｂ、８９０ｂに触れることによる感電事故を防ぐことができる。また、保護カバー１０は、作業を行うときに取り外す必要がないので、作業中に保護カバー１０を紛失するという心配がない。
【００３５】
従って、第一の実施の形態において、扉部１６を簡単に構成し、簡単な操作で開閉することが可能である。即ち、摺動移動可能な２枚の平板部材２８ａ、２８ｂにより、何れかの平板部材を移動させることで、一方の端子螺子を露出させ、他方の端子螺子を隠蔽する、若しくは一方及び他方の双方の端子螺子を隠蔽することが可能となる。これにより、作業者が負荷側電線を無停電端子に固定又は無停電端子から取り外しする際に、一方の端子螺子を操作しているときにドライバの先端が他方の端子螺子に接触することはなく、短絡事故をなくすことが可能である。また、作業が終了した後には、ドライバで平板部材を閉めることが可能であるので、端子螺子への接触による感電事故をなくすことが可能である。更に、保護カバー１０は、作業を行うときに取り外す必要がないので、作業中に保護カバーを紛失するという心配がない。
【００３６】
（第二の実施の形態）
第二の実施の形態は、第一の実施の形態と、扉部の構成だけが異なっている。扉部３６は、一枚の平板部材３８と、平板部材３８の略中央に表面から突出して設けられたストッパ４０と、本体部１４の操作開口部１２を構成する４面の内で、平板部材３８が摺動移動する方向の２面、即ち右側板２２と左側板２４に、それぞれ形成された開口部４２ａ、４２ｂと、本体部１２の平板部材３８が摺動移動する方向の２面と直交する他の２面、即ち天井板１８と底板２０に、それぞれ２本の突起部４４ａ、４４ｂ及び４４ｃ、４４ｄで形成された溝部４６ａ、４６ｂとで構成される。
【００３７】
平板部材３８の大きさは、操作開口部１２と略同一である。平板部材３８の略中央には、前述のように表面から突出してストッパ４０が設けられているが、このストッパ４０は、操作開口部１２の枠部、即ち右側板２２又は左側板２４に衝突して、一方の負荷側電線に係る端子螺子のみが操作可能とされるように、平板部材３８の摺動移動動作を制止する。更に、平板部材３８が本体部１４から脱落することを防止する。なお、ストッパ４０にドライバの先端を当てて、平板部材３８を摺動移動させることが可能である。
【００３８】
本体部１４の右側板２２と左側板２４に形成された開口部４２ａ、４２ｂは、摺動移動する平板部材３８の断面形状より大きめに形成されている。前述のように、平板部材３８の略中央部にストッパ４０があるために、平板部材３８は開口部４２ａ、４２ｂから抜け出ないように構成され、ストッパ４０を右側板２２又左側板２４に当たるまで、平板部材３８を摺動移動させると、操作開口部１２は最大で一度に負荷側電線の１本分だけの端子螺子が操作可能となるように開口される。
【００３９】
本体部１４の天井板１８と底板２０には、それぞれ前述のように、２本の突起部４４ａ、４４ｂ及び４４ｃ、４４ｄを並べて構成された溝部４６ａ、４６ｂが形成されている。それぞれの突起部の長さは操作開口部１２の横幅と略同一である。平板部材３８は、この溝部４６ａ、４６ｂによりガイドされる。即ち、平板部材３８を摺動移動させて、その端部が操作開口部１２の内側に位置する場合でも、この溝部４６ａ、４６ｂによりガイドされるので、端子螺子８８０ａ、８９０ａ、８８０ｂ、８９０ｂに対して近づく方向や遠ざかる方向に平板部材３８が振れることがない。なお、本実施の形態においても端子螺子８８０ａ、８９０ａ、８８０ｂ、８９０ｂの頭部と平板部材３８との間隔は殆どなく、作業に使用するドライバの先端が斜めに入らないようになっている。
【００４０】
なお、上記の平板部材３８、ストッパ４０、突起部４４ａ、４４ｂ、４４ｃ、４４ｄは、第一の実施の形態と同様に、プラスチック樹脂を用いて構成した。第二の実施の形態においても、平板部材３８は、端子螺子８８０ａ、８９０ａ、８８０ｂ、８９０ｂの様子を、平板部材３８を摺動移動させて確認できるので、色彩が付加されて不透明であっても構わない。
【００４１】
従って、第二の実施の形態においても、扉部３６を簡単に構成し、簡単な操作で開閉することが可能である。即ち、作業者が負荷側電線を無停電端子に固定又は無停電端子から取り外しする際に、平板部材３８を摺動移動させて操作開口部１２を最大に開口しても、負荷側電線の１本分だけの端子螺子が操作可能となるように開口されるので、ドライバが滑って隣の他方の負荷側電線に係る端子螺子に接触することはあり得ず、短絡事故は生じない。一方の負荷電線に対する作業が終了したら、平板部材３８を反対側に摺動移動させ、他方の負荷電線側の端子螺子が操作可能となるように開口して同様の作業を行うが、この場合でも同様に短絡事故は生じない。作業が終了した後は、ストッパ４０を操作開口部１２の略中央に戻して、平板部材３８により操作開口部１２を完全に覆うことができるので、端子螺子８８０ａ、８９０ａ、８８０ｂ、８９０ｂに触れることによる感電事故を防ぐことができる。また、保護カバー１０は、作業を行うときに取り外す必要がないので、作業中に保護カバーを紛失するという心配がない。
【００４２】
なお、本発明は、上述の実施の形態に限定されるものではなく、本発明の趣旨を逸脱しない範囲で種々の変更が可能である。例えば、第１の実施の形態において、平板部材上に設けられる引き掛け部は溝状のものを示したが、溝状ではなく突起状のものでも構わない。
【図面の簡単な説明】
【００４３】
【図１】本発明の無停電端子用保護カバーの第一の実施の形態に係り、拡大斜視図である。
【図２】図１において、一方の平板部材を開けて、負荷側電線を無停電端子に取り付ける又は無停電端子から取り外すために、端子螺子を操作する様子を示した説明図である。
【図３】本発明の無停電端子用保護カバーの第二の実施の形態に係り、拡大斜視図である。
【図４】無停電端子の設置の様子を示す説明図である。
【図５】無停電端子の構成を示す概略断面図（ａ）と、保護カバーの斜視図（ｂ）である。
【図６】従来の無停電端子における作業の様子を示す説明図である。
【符号の説明】
【００４４】
１０  保護カバー
１２  操作開口部
１４  本体部
１６、３６  扉部
１８  天井板
２０  底板
２２  右側板
２４  左側板
２６ａ、２６ｂ  折り返し部
２８ａ、２８ｂ、３８  平板部材
３０ａ、３０ｂ、３０ｃ、３０ｄ  突起部
３２ａ、３２ｂ、３２ｃ、３２ｄ、４６ａ、４６ｂ  溝部
４０  ストッパ
４２ａ、４２ｂ  開口部
【図１】
0004994166.tif 000002
【図２】
0004994166.tif 000003
【図３】
0004994166.tif 000004
【図４】
0004994166.tif 000005
【図５】
0004994166.tif 000006
【図６】
0004994166.tif 000007